(57)【要約】【課題】１＋１双方向ラインプロテクション等のラインプロテクションで回避できなかった障害の回避を人手を介さずに可能にしたり、装置間のラインプロテクションモードを整合できる通信装置、ラインプロテクション制御システムおよびラインプロテクション制御方法を提供する。【解決手段】Ａ局２０１Ａとしての通信装置は、図示しないＢ局とワーク側主信号ライン２１２、２１３およびプロテクト側主信号ライン２１５、２１６で冗長に接続されている。ＡＰＳバイト処理部２１９ＡはＫ２バイトの６〜８ビットに自装置の双方向ラインプロテクションと片方向双方向ラインプロテクションの通知だけでなくこれらのいずれかへの遷移を要求するコードを割り当てており、これを用いてプロテクション動作制御部２１８ＡおよびＡＰＳバイト処理監視部２２１Ａと共に障害時のモード切り替えを行う。モードの初期設定ミスの訂正も可能である。【選択図】図１
2008004993.tif 000002
【特許請求の範囲】
【請求項１】
現用系と予備系によって冗長化された伝送路にそれぞれ接続された信号送信手段および信号受信手段と、
前記伝送路に障害が発生したとき、自装置側の前記信号送信手段および信号受信手段を同時に交換する第１の交換モードと、自装置側の前記信号受信手段のみを交換する第２の交換モードのいずれかのモードに自装置を設定するモード設定手段と、
前記信号送信手段および信号受信手段と伝送路を介して接続された相手側の装置に対して自装置が前記モード設定手段で設定しているモードを適宜の時間間隔を置いて通知するモード通知手段と、
前記相手側の装置からその装置の設定しているモードが通知されたときこれを記憶する相手側モード記憶手段と、
前記信号受信手段側の伝送路の障害を検知する伝送路障害検知手段と、
この伝送路障害検知手段が前記信号受信手段側の伝送路の障害を検知したときで前記モード設定手段および相手側モード記憶手段から自装置と前記相手側の装置が共に第１のモードに設定されていると判別されるとき前記相手側の装置に第２のモードへの遷移を要求する第２のモード遷移要求手段と、
この第２のモード遷移要求手段が前記相手側の装置に第２のモードへの遷移を要求した後、前記相手側モード記憶手段によって前記相手側の装置が第２のモードに遷移したことが確認されたとき自装置を第２のモードに変更する第１のモード・第２のモード変更手段
とを具備することを特徴とする通信装置。
【請求項２】
現用系と予備系によって冗長化された伝送路にそれぞれ接続された信号送信手段および信号受信手段と、
前記伝送路に障害が発生したとき、自装置側の前記信号送信手段および信号受信手段を同時に交換する第１の交換モードと、自装置側の前記信号受信手段のみを交換する第２の交換モードのいずれかのモードに自装置を設定するモード設定手段と、
前記信号送信手段および信号受信手段と伝送路を介して接続された相手側の装置に対して自装置が前記モード設定手段で設定しているモードを適宜の時間間隔を置いて通知するモード通知手段と、
前記相手側の装置からその装置の設定しているモードが通知されたときこれを記憶する相手側モード記憶手段と、
前記信号受信手段側の伝送路の障害の復旧を検知する伝送路障害復旧検知手段と、
この伝送路障害復旧検知手段が前記信号受信手段側の伝送路の障害の復旧を検知したときで前記モード設定手段および相手側モード記憶手段から自装置と前記相手側の装置が共に第２のモードに設定されていると判別されるとき前記相手側の装置に第１のモードへの遷移を要求する第１のモード遷移要求手段と、
この第１のモード遷移要求手段が前記相手側の装置に第１のモードへの遷移を要求した後、前記相手側モード記憶手段によって前記相手側の装置が第１のモードに遷移したことが確認されたとき自装置を第１のモードに変更する第２のモード・第１のモード変更手段
とを具備することを特徴とする通信装置。
【請求項３】
現用系と予備系によって冗長化された伝送路にそれぞれ接続された信号送信手段および信号受信手段と、
前記伝送路に障害が発生したとき、自装置側の前記信号送信手段および信号受信手段を同時に交換する第１の交換モードと、自装置側の前記信号受信手段のみを交換する第２の交換モードのいずれかのモードに自装置を設定するモード設定手段と、
前記信号送信手段および信号受信手段と伝送路を介して接続された相手側の装置に対して自装置が前記モード設定手段で設定しているモードを適宜の時間間隔を置いて通知するモード通知手段と、
前記相手側の装置からその装置の設定しているモードが通知されたときこれを記憶する相手側モード記憶手段と、
前記相手側の装置と通信を開始したとき、前記モード設定手段および相手側モード記憶手段から自装置と前記相手側の装置が同一のモードに設定されているかどうかを判別するモード一致有無判別手段と、
このモード一致有無判別手段がモードが一致しないと判別したとき前記相手側の装置の設定されているモードが自装置の設定されているモードに対して劣位のモードであるかどうかを判別するモード優劣判別手段と、
このモード優劣判別手段で前記相手側の装置が自装置の設定されているモードに対して劣位のモードであると判別したとき前記相手側の装置に自装置の設定されているモードへの遷移を要求する優位モード遷移要求手段と、
前記相手側の装置からその設定されているモードへの遷移が要求されたとき自装置をそのモードに変更する通信開始時モード変更手段
とを具備することを特徴とする通信装置。
【請求項４】
前記モード通知手段の通知する各モードおよび前記相手側の装置に所定の遷移を要求するモードのそれぞれは、ＡＰＳバイトの６〜８ビットで表わされる固有のビットパターンに１つずつ対応付けられていることを特徴とする請求項１〜請求項３いずれかに記載の通信装置。
【請求項５】
前記相手側の装置から送られてくる前記ＡＰＳバイトとの関係で自装置が前記相手側の装置に送出するＡＰＳバイトの処理を行うＡＰＳバイト処理手段と、このＡＰＳバイト処理手段の障害の発生を検知するＡＰＳバイト処理手段障害検知手段と、このＡＰＳバイト処理手段障害検知手段が障害の発生を検知したとき前記ＡＰＳバイト処理手段の処理を代行するＡＰＳバイト処理代行手段とを具備することを特徴とする請求項４記載の通信装置。
【請求項６】
前記伝送路は、ＳＤＨ／ＳＯＮＥＴ（Synchronous Digital Hierarchy／Synchronous Optical Network）伝送方式における１＋Ｎラインプロテクション方式による複数本のラインで構成されていることを特徴とする請求項１〜請求項３いずれかに記載の通信装置。
【請求項７】
現用系と予備系によって冗長化された伝送路に障害が発生したとき、信号の受信に障害の発生した装置の信号受信手段だけでなくその信号送信手段も同時に交換する第１の交換モードと、前記信号の受信に障害の発生した装置の前記信号受信手段のみを交換する第２の交換モードのいずれかのモードに前記伝送路を介して接続された第１の装置および第２の装置のモードが設定されている状態で、前記伝送路に障害が発生したときこれを検知する伝送路障害検知手段と、
この伝送路障害検知手段によって伝送路の障害が検知されたとき、前記第１の装置および第２の装置が共に第１のモードに設定されているかどうかを判別する第１のモード設定判別手段と、
この第１のモード設定判別手段によって前記第１の装置および第２の装置が共に第１のモードに設定されていることが判別されたとき、前記伝送路の障害が検知された側の装置から相手側の装置に第２のモードへの遷移を要求させる第２のモード遷移要求手段と、
この第２のモード遷移要求手段によって前記相手側の装置に第２のモードへの遷移が要求された後、この相手側の装置が第２のモードに遷移したことを確認する相手側装置遷移確認手段と、
この相手側装置遷移確認手段によって前記相手側の装置が第２のモードに遷移したことが確認されたとき前記伝送路の障害が検知された側の装置を第２のモードに変更する第１のモード・第２のモード変更手段
とを具備することを特徴とするラインプロテクションシステム。
【請求項８】
現用系と予備系によって冗長化された伝送路に障害が発生したとき、信号の受信に障害の発生した装置の信号受信手段だけでなくその信号送信手段も同時に交換する第１の交換モードと、前記信号の受信に障害の発生した装置の前記信号受信手段のみを交換する第２の交換モードのいずれかのモードに前記伝送路を介して接続された第１の装置および第２の装置のモードが設定されている状態で、前記伝送路の障害が復旧したときこれを検知する伝送路障害復旧検知手段と、
この伝送路障害復旧検知手段で伝送路の障害の復旧が検知されたとき、前記第１の装置および第２の装置が共に第２のモードに設定されているかどうかを判別する第２のモード設定判別手段と、
この第２のモード設定判別手段によって前記第１の装置および第２の装置が共に第２のモードに設定されていることが判別されたとき、前記伝送路の障害が復旧を検知された側の装置側から相手側の装置に第１のモードへの遷移を要求させる第１のモード遷移要求手段と、
この第１のモード遷移要求手段によって前記相手側の装置に第１のモードへの遷移が要求された後、この相手側の装置が第１のモードに遷移したことを確認する相手側装置遷移確認手段と、
この相手側装置遷移確認手段によって前記相手側の装置が第１のモードに遷移したことが確認されたとき前記伝送路の障害の復旧が検知された側の装置を第１のモードに変更する第２のモード・第１のモード変更手段
とを具備することを特徴とするラインプロテクション制御システム。
【請求項９】
現用系と予備系によって冗長化された伝送路に障害が発生したとき、信号の受信に障害の発生した装置の信号受信手段だけでなくその信号送信手段も同時に交換する第１の交換モードと、前記信号の受信に障害の発生した装置の前記信号受信手段のみを交換する第２の交換モードのいずれかのモードに前記伝送路を介して接続された第１の装置および第２の装置のモードが設定されている状態で、これら第１の装置および第２の装置が通信を開始したとき、これらの装置が同一のモードに設定されているかどうかを判別するモード一致有無判別手段と、
このモード一致有無判別手段によってモードが一致しないと判別されたとき前記第１の装置および第２の装置のいずれが優位のモードに設定されているかを判別するモード優位装置判別手段と、
このモード優位装置判別手段によって優位のモードに設定されていると判別された装置から相手側の装置に対して自装置の設定されているモードへの遷移を要求させる優位モード遷移要求手段と、
この優位モード遷移要求手段によってモードへの遷移を要求された装置をそのモードに変更する通信開始時モード変更手段
とを具備することを特徴とするラインプロテクション制御システム。
【請求項１０】
現用系と予備系によって冗長化された伝送路に障害が発生したとき、信号の受信に障害の発生した装置の信号受信手段だけでなくその信号送信手段も同時に交換する第１の交換モードと、前記信号の受信に障害の発生した装置の前記信号受信手段のみを交換する第２の交換モードのいずれかのモードに前記伝送路を介して接続された第１の装置および第２の装置のモードが設定されている状態で、前記伝送路に障害が発生したときこれを検知する伝送路障害検知ステップと、
この伝送路障害検知ステップで伝送路の障害が検知されたとき、前記第１の装置および第２の装置が共に第１のモードに設定されているかどうかを判別する第１のモード設定判別ステップと、
この第１のモード設定判別ステップで前記第１の装置および第２の装置が共に第１のモードに設定されていることが判別されたとき、前記伝送路の障害が検知された側の装置側から相手側の装置に第２のモードへの遷移を要求させる第２のモード遷移要求ステップと、
この第２のモード遷移要求ステップで前記相手側の装置に第２のモードへの遷移が要求された後、この相手側の装置が第２のモードに遷移したことを確認する相手側装置遷移確認ステップと、
この相手側装置遷移確認ステップによって前記相手側の装置が第２のモードに遷移したことが確認されたとき前記伝送路の障害が検知された側の装置を第２のモードに変更する第１のモード・第２のモード変更ステップ
とを具備することを特徴とするラインプロテクション制御方法。
【請求項１１】
現用系と予備系によって冗長化された伝送路に障害が発生したとき、信号の受信に障害の発生した装置の信号受信手段だけでなくその信号送信手段も同時に交換する第１の交換モードと、前記信号の受信に障害の発生した装置の前記信号受信手段のみを交換する第２の交換モードのいずれかのモードに前記伝送路を介して接続された第１の装置および第２の装置のモードが設定されている状態で、前記伝送路の障害が復旧したときこれを検知する伝送路障害復旧検知ステップと、
この伝送路障害復旧検知ステップで伝送路の障害の復旧が検知されたとき、前記第１の装置および第２の装置が共に第２のモードに設定されているかどうかを判別する第２のモード設定判別ステップと、
この第２のモード設定判別ステップで前記第１の装置および第２の装置が共に第２のモードに設定されていることが判別されたとき、前記伝送路の障害の復旧が検知された側の装置から相手側の装置に第１のモードへの遷移を要求させる第１のモード遷移要求ステップと、
この第１のモード遷移要求ステップで前記相手側の装置に第１のモードへの遷移が要求された後、この相手側の装置が第１のモードに遷移したことを確認する相手側装置遷移確認ステップと、
この相手側装置遷移確認ステップによって前記相手側の装置が第１のモードに遷移したことが確認されたとき前記伝送路の障害の復旧が検知された側の装置を第１のモードに変更する第２のモード・第１のモード変更ステップ
とを具備することを特徴とするラインプロテクション制御方法。
【請求項１２】
現用系と予備系によって冗長化された伝送路に障害が発生したとき、信号の受信に障害の発生した装置の信号受信手段だけでなくその信号送信手段も同時に交換する第１の交換モードと、前記信号の受信に障害の発生した装置の前記信号受信手段のみを交換する第２の交換モードのいずれかのモードに前記伝送路を介して接続された第１の装置および第２の装置のモードが設定されている状態で、これら第１の装置および第２の装置が通信を開始したとき、これらの装置が同一のモードに設定されているかどうかを判別するモード一致有無判別ステップと、
このモード一致有無判別ステップでモードが一致しないと判別されたとき前記第１の装置および第２の装置のいずれが優位のモードに設定されているかを判別するモード優位装置判別ステップと、
このモード優位装置判別ステップで優位のモードに設定されていると判別された装置から相手側の装置に対して自装置の設定されているモードへの遷移を要求させる優位モード遷移要求ステップと、
この優位モード遷移要求ステップでモードへの遷移を要求された装置をそのモードに変更する通信開始時モード変更ステップ
とを具備することを特徴とするラインプロテクション制御方法。
【発明の詳細な説明】
【技術分野】
【０００１】
本発明は、たとえば信号の伝送ラインに障害が発生したときに回線の切り替えを行う通信装置、ラインプロテクション制御システムおよびラインプロテクション制御方法に係わり、特にＳＤＨ／ＳＯＮＥＴ伝送方式における１＋１双方向ラインプロテクション等のラインプロテクションで回線の切り替えを行う通信装置、ラインプロテクション制御システムおよびラインプロテクション制御方法に関する。
【背景技術】
【０００２】
ＳＤＨ／ＳＯＮＥＴ（Synchronous Digital Hierarchy／Synchronous Optical Network：同期ディジタル・ハイアラーキ／同期式光ファイバネットワーク）伝送システムでは、ネットワークで障害が発生した場合の保守のためのラインプロテクションとして、１＋１双方向ラインプロテクションや１＋１片方向ラインプロテクションを規格化している。ここで、１＋１双方向ラインプロテクションは、ラインで発生した障害に対して双方向のラインの受け側を同時に切り替える方式であり、１＋１片方向ラインプロテクションはラインで発生した障害に対して、障害を検知した局で受け側のみを切り替える方式である。これら２つのラインプロテクションは、たとえばＩＴＵ−Ｔ（International Telecommunications Union - Telecommunications Standardization Sector：国際電気通信連合の電気通信標準化部門）  Ｇ．７８３  Ａｎｎｅｘ  Ａ、Ａｎｎｅｘ  ＢあるいはＢｅｌｌｃｏｒｅ  ＧＲ−２５３−ＣＯＲＥで規格化されている。
【０００３】
１＋１双方向ラインプロテクションおよび１＋１片方向ラインプロテクションでは、共に伝送フレーム中のＳＯＨ（Section Over Head）中に配置されるＡＰＳ（Automatic Protection Switching）バイトを構成するＫ１バイトとＫ２バイトを用いてプロテクションの制御を行っている。具体的には、１＋１双方向ラインプロテクションの場合には、Ｋ１バイトおよびＫ２バイトの１ビットから４ビットまでを使用して、障害発生状況やコマンドによる切替要求等の情報を相手側に伝えてプロテクションの制御を行っている。１＋１片方向ラインプロテクションの場合には、自局で検知した障害情報と自局で与えられた切替要求を用いてプロテクションの制御を行っている。
【０００４】
ところで、信号を伝達するラインに障害が発生した場合、その障害が発生したラインのインタフェース回路を交換することが通常行われている。ＳＤＨ／ＳＯＮＥＴでは、インタフェース回路としての送信回路および受信回路が同一の基板上に実装されている場合が多い。したがって、障害が発生したラインのインタフェース回路を交換するときには、送信回路と受信回路が同時に切り替わる１＋１双方向ラインプロテクションの方が都合がよい。また１＋１双方向ラインプロテクションの場合には、ＡＰＳバイトを使用した切替試験（ＥＸＥＲＣＩＳＥ）をサポートしているが、１＋１片方向ラインプロテクションの場合にはこの機能をサポートしていない。このような理由により、現在使用されているラインプロテクションは１＋１双方向ラインプロテクションの割合が多くなっている。
【０００５】
図２０は、従来提案された１＋１双方向ラインプロテクション制御システムの構成を示したものである（たとえば特許文献１参照）。この図で左側をＡ局１０１Ａとし、右側をＢ局１０１Ｂとする。これらの局１０１Ａ、１０１Ｂのワーク（Ｗｏｒｋ；現用）側インタフェース（ＩＦ）部１１１Ａ、１１１Ｂの間には、双方向に１本ずつワーク側主信号ライン１１２、１１３が配置されている。また、プロテクト（Ｐｒｏｔｅｃｔ；予備）側インタフェース（ＩＦ）部１１４Ａ、１１４Ｂの間には、双方向に１本ずつプロテクト側主信号ライン１１５、１１６が配置されている。
【０００６】
Ａ局１０１Ａには、ラインの切り替えを行うスイッチ部１１７Ａと、障害発生時のプロテクション制御を行うプロテクション動作制御部１１８ＡおよびＡＰＳバイトの処理を行うＡＰＳバイト処理部１１９Ａが配置されている。Ｂ局１０１Ｂにも同様に、スイッチ部１１７Ｂ、プロテクション動作制御部１１８ＢおよびＡＰＳバイト処理部１１９Ｂが配置されている。
【０００７】
このような構成の従来提案された１＋１双方向ラインプロテクションシステム１００では、主信号のオーバヘッド内に含まれるＡＰＳバイト（Ｋ１、Ｋ２バイト）１２１、１２２を使用することで、自局のスイッチ部１１７Ａ、１１７Ｂの切替状態や、各ライン１１２、１１３、１１５、１１６のいずれかに障害が発生した場合の障害内容を対局に伝達するようになっている。
【０００８】
１＋１双方向ラインプロテクションシステム１００では、障害が発生していないとき、Ａ局１０１Ａから送信される信号は現用のワーク側主信号ライン１１２を伝送されてＢ局１０１Ｂに到達し、スイッチ部１１７Ｂで選択される。このとき、スイッチ部１１７Ｂのスイッチとしての受信信号切替部１２４Ｂの接片は図２０に示した状態とは逆の接続状態となっている。Ｂ局１０１Ｂから送信される信号については、現用のワーク側主信号ライン１１３を伝送されてＡ局１０１Ａに到達し、スイッチ部１１７Ａで選択される。このとき、スイッチ部１１７Ａの受信信号切替部１２４Ａの接片も図２０に示した状態とは逆の接続状態となっている。以上の状態のとき、予備用のプロテクト側主信号ライン１１５、１１６に流れた信号はそれぞれ対局にまで到達するが、スイッチ部１１７Ａ、１１７Ｂがこれらを選択しない。
【０００９】
この１＋１双方向ラインプロテクションシステム１００で、たとえばワーク側主信号ライン１１２に障害１２０が発生したとする。すると、受信側であるＢ局１０１Ｂのワーク側インタフェース部１１１Ｂは、障害１２０により信号が切断されたことを検出し、プロテクション動作制御部１１８Ｂに通知する。この通知を受けたプロテクション動作制御部１１８Ｂは、ＡＰＳバイト処理部１１９Ｂに対して、障害１２０が発生したことを通知する処理を依頼する。ＡＰＳバイト処理部１１９Ｂは、この依頼に基づいて、ワーク側主信号ライン１１２で障害１２０が発生したことと、プロテクト側主信号ライン１１５への切り替えを指示するＡＰＳバイト１２２をプロテクト側インタフェース部１１４Ｂを経由してＡ局１０１Ａに送出する。
【００１０】
Ａ局１０１Ａのプロテクト側インタフェース部１１４Ａは、受信したＡＰＳバイト１２２をＡＰＳバイト処理部１１９Ａに送る。ＡＰＳバイト処理部１１９Ａは受け取ったＡＰＳバイト１２２を解析して、チャネルの切り替えの要求と、切り替えの対象となるライン１１２を示すＡＰＳバイト１２１を、プロテクト側インタフェース部１１４Ａを経由してＢ局１０１Ｂに送出する。
【００１１】
Ｂ局１０１Ｂでは、この受信したＡＰＳバイト１２１をＡＰＳバイト処理部１１９Ｂに送る。ＡＰＳバイト処理部１１９ＢはこのＡＰＳバイト１２１をプロテクション動作制御部１１８Ｂに送って解析させる。プロテクション動作制御部１１８Ｂは、切り替えの対象となるワーク側主信号ライン１１２がＡ局１０１ＡとＢ局１０１Ｂとで相互に一致することを判別して、スイッチ部１１７Ｂに対して内蔵の受信信号切替部１２４Ｂの切り替えを指示するスイッチ部切替制御信号１３１Ｂを出力させる。これにより、スイッチ部１１７Ｂの受信信号切替部１２４Ｂの接点が図示のように切り替わる。
【００１２】
スイッチ部１１７Ｂの受信信号切替部１２４Ｂが切り替わったら、プロテクション動作制御部１１８ＢはＡＰＳバイト処理部１１９Ｂに指示して、切り替えを行ったワーク側主信号ライン１１２を示したＡＰＳバイト１２２をＡ局１０１Ａに送出させる。Ａ局１０１ＡではこのＡＰＳバイト１２２を受信すると、ＡＰＳバイト処理部１１９Ａを経てプロテクション動作制御部１１８Ａに伝達され、その解析が行われる。この結果、切り替えの対象となるワーク側主信号ライン１１２がＡ局１０１ＡとＢ局１０１Ｂとで相互に一致するので、プロテクション動作制御部１１８Ａはスイッチ部切替制御信号１３１Ａを出力してスイッチ部１１７Ａの受信信号切替部１２４Ａを切り替えさせる。
【００１３】
このようにして、スイッチ部１１７Ａ、１１７Ｂの受信信号切替部１２４Ａ、１２４Ｂが共に図２０に示すように切り替わったことになり、ワーク側主信号ライン１１２、１１３を用いた信号の伝送からプロテクト側主信号ライン１１５、１１６を用いた信号の伝送に伝送路が切り替わったことになる。この状態で通信動作が開始することになる。
【特許文献１】特開平０９−０７４４１２（第００６７段落〜第００７１段落、図９）
【発明の開示】
【発明が解決しようとする課題】
【００１４】
ところが、この従来提案された１＋１双方向ラインプロテクションシステム１００では、Ａ局１０１Ａのプロテクション動作制御部１１８ＡとＡＰＳバイト処理部１１９Ａのいずれかに障害が発生すると、以上説明したようなＡＰＳバイト１２１、１２２を使用したプロテクション制御を行うことができないという問題があった。
【００１５】
図２１を用いて、この問題を説明する。この図で図２０と同一部分には同一の符号を付しており適宜説明を省略する。ある時点でＡ局１０１Ａのプロテクション動作制御部１１８ＡまたはＡＰＳバイト処理部１１９Ａに障害１４１が発生したものとする。この状態でワーク側主信号ライン１１２に障害１２０が発生したとする。障害１２０の発生に基づいて、前記したようにプロテクト側主信号ライン１１５への切り替えを指示するＡＰＳバイト１２２がＢ局１０１ＢからＡ局１０１Ａに送出されることになる。
【００１６】
ところが、この場合にはプロテクション動作制御部１１８ＡまたはＡＰＳバイト処理部１１９Ａに障害１４１が発生している。そこで、障害１２０を検出したＢ局１０１Ｂからチャネルの切り替えの要求と切り替えの対象となるライン１１２を示すＡＰＳバイト１２１がＡ局１０１Ａに送出されても、プロテクション動作制御部１１８ＡまたはＡＰＳバイト処理部１１９Ａの障害１４１により、これが処理されない。したがって、Ａ局１０１Ａではプロテクション動作制御部１１８Ａが、チャネルの切り替えの要求と切り替えの対象となるライン１１２を示すＡＰＳバイト１２１（図示せず）をＢ局１０１Ｂ側に送出することができない。
【００１７】
この結果、Ｂ局１０１Ｂでは、切り替えの対象となるワーク側主信号ライン１１２がＡ局１０１ＡとＢ局１０１Ｂとで相互に一致したことを確認することができず、図２０に示したようなスイッチ部切替制御信号１３１Ｂが出力されない。すなわち、図２１に示した障害１４１が発生した場合には、受信信号切替部１２４Ｂが切り替わらず、図２１に示した状態のままとなる。したがって、Ｂ局１０１Ｂ側から、これに続いてスイッチ部１１７Ａの受信信号切替部１２４Ａを切り替えさせるためのＡＰＳバイト１２２がＡ局１０１Ａに送出されることもなく、Ａ局１０１Ａ側の受信信号切替部１２４Ａの切り替えも行われないことになる。
【００１８】
以上、Ａ局１０１Ａのプロテクション動作制御部１１８ＡまたはＡＰＳバイト処理部１１９Ａのいずれかに障害１４１が発生した場合について説明したが、プロテクション動作制御部１１８ＡとＡＰＳバイト処理部１１９Ａの双方に障害１４１が発生した場合も同様の結果となる。また、Ｂ局１０１Ｂのプロテクション動作制御部１１８ＢまたはＡＰＳバイト処理部１１９Ｂに障害が発生した場合についても同様に受信信号切替部１２４Ａと受信信号切替部１２４Ｂの切り替えが行われないことになる。
【００１９】
このように従来の提案では、プロテクション動作制御部１１８Ａ、１１８ＢまたはＡＰＳバイト処理部１１９Ａ、１１９Ｂのいずれかに障害が発生し、１＋１双方向ラインプロテクションシステム１００の片端でも機能しなくなると、ＡＰＳバイト１２１、１２２を使用したプロテクション制御が実施できなくなる。このため、１＋１双方向ラインプロテクションを動作させることができない。すなわち、この場合には、障害１２０の発生したラインから予備側のラインに受信信号切替部１２４Ａ、１２４Ｂによる切り替えができず、信号が断となってしまう。
【００２０】
そこで従来では、このような事態が発生すると、人手で受信信号切替部１２４Ａ、１２４Ｂの接点を切り替えるようにしていた。このため、通信動作が再開するまでの時間が長時間化するだけでなく、障害１２０の発生時に対応させるための人員を確保する必要があった。
【００２１】
以上、ワーク側主信号ライン１１２（１１３）に障害が発生したときの互いに対向する２局の制御について人手が必要なことを説明した。これら互いに対向する２局の初期設定が「双方向」あるいは「片方向」のラインプロテクションモードについて、初期的に設定ミスを行っていた場合にも、従来では人手によってこれらのモードを一致させる必要があるという問題があった。
【００２２】
そこで本発明の目的は、１＋１双方向ラインプロテクション等のラインプロテクションでは回避できなかった障害の回避を人手を介さずに可能にする通信装置、ラインプロテクション制御システムおよびラインプロテクション制御方法を提供することにある。
【００２３】
本発明の他の目的は、互いに対向する装置間でラインプロテクションモードを整合することのできる通信装置、ラインプロテクション制御システムおよびラインプロテクション制御方法を提供することにある。
【課題を解決するための手段】
【００２４】
請求項１記載の発明では、（イ）現用系と予備系によって冗長化された伝送路にそれぞれ接続された信号送信手段および信号受信手段と、（ロ）伝送路に障害が発生したとき、自装置側の信号送信手段および信号受信手段を同時に交換する第１の交換モードと、自装置側の信号受信手段のみを交換する第２の交換モードのいずれかのモードに自装置を設定するモード設定手段と、（ハ）信号送信手段および信号受信手段と伝送路を介して接続された相手側の装置に対して自装置がモード設定手段で設定しているモードを適宜の時間間隔を置いて通知するモード通知手段と、（ニ）相手側の装置からその装置の設定しているモードが通知されたときこれを記憶する相手側モード記憶手段と、（ホ）信号受信手段側の伝送路の障害を検知する伝送路障害検知手段と、（へ）この伝送路障害検知手段が信号受信手段側の伝送路の障害を検知したときでモード設定手段および相手側モード記憶手段から自装置と相手側の装置が共に第１のモードに設定されていると判別されるとき相手側の装置に第２のモードへの遷移を要求する第２のモード遷移要求手段と、（ト）この第２のモード遷移要求手段が相手側の装置に第２のモードへの遷移を要求した後、相手側モード記憶手段によって相手側の装置が第２のモードに遷移したことが確認されたとき自装置を第２のモードに変更する第１のモード・第２のモード変更手段とを通信装置に具備させる。
【００２５】
すなわち本発明では、通信装置がその信号送信手段および信号受信手段によって現用系と予備系によって冗長化された伝送路と接続されている。この通信装置は、モード設定手段によって、伝送路に障害が発生したとき、自装置側の信号送信手段および信号受信手段を同時に交換する第１の交換モードと、自装置側の信号受信手段のみを交換する第２の交換モードのいずれかのモードに自装置を設定するようになっている。また、伝送路によって接続された相手側の装置とそれぞれの設定されているモードをモード通知手段によって通知しあうようになっている。伝送路に障害が発生したときには、自装置と相手側の装置が共に第１のモードに設定されていると判別されるとき、第２のモード遷移要求手段が相手側の装置に対して第２のモードへの遷移を要求するようになっている。そして、相手側の装置が第２のモードに遷移したことが確認されたときに、自装置を第２のモードに変更することで両装置を第１のモードから第２のモードに変更させるようにしている。
【００２６】
請求項２記載の発明では、（イ）現用系と予備系によって冗長化された伝送路にそれぞれ接続された信号送信手段および信号受信手段と、（ロ）伝送路に障害が発生したとき、自装置側の信号送信手段および信号受信手段を同時に交換する第１の交換モードと、自装置側の信号受信手段のみを交換する第２の交換モードのいずれかのモードに自装置を設定するモード設定手段と、（ハ）信号送信手段および信号受信手段と伝送路を介して接続された相手側の装置に対して自装置がモード設定手段で設定しているモードを適宜の時間間隔を置いて通知するモード通知手段と、（ニ）相手側の装置からその装置の設定しているモードが通知されたときこれを記憶する相手側モード記憶手段と、（ホ）信号受信手段側の伝送路の障害の復旧を検知する伝送路障害復旧検知手段と、（へ）この伝送路障害復旧検知手段が信号受信手段側の伝送路の障害の復旧を検知したときでモード設定手段および相手側モード記憶手段から自装置と相手側の装置が共に第２のモードに設定されていると判別されるとき相手側の装置に第１のモードへの遷移を要求する第１のモード遷移要求手段と、（ト）この第１のモード遷移要求手段が相手側の装置に第１のモードへの遷移を要求した後、相手側モード記憶手段によって相手側の装置が第１のモードに遷移したことが確認されたとき自装置を第１のモードに変更する第２のモード・第１のモード変更手段とを通信装置に具備させる。
【００２７】
すなわち本発明では、通信装置がその信号送信手段および信号受信手段によって現用系と予備系によって冗長化された伝送路と接続されている。この通信装置は、モード設定手段によって、伝送路に障害が発生したとき、自装置側の信号送信手段および信号受信手段を同時に交換する第１の交換モードと、自装置側の信号受信手段のみを交換する第２の交換モードのいずれかのモードに自装置を設定するようになっている。また、伝送路によって接続された相手側の装置とそれぞれの設定されているモードをモード通知手段によって通知しあうようになっている。伝送路の障害が復旧したときには、自装置と相手側の装置が共に第２のモードに設定されていると判別されるとき、第１のモード遷移要求手段が相手側の装置に対して第１のモードへの遷移を要求するようになっている。そして、相手側の装置が第１のモードに遷移したことが確認されたときに、自装置を第１のモードに変更することで両装置を第２のモードから第１のモードに変更させるようにしている。
【００２８】
請求項３記載の発明では、（イ）現用系と予備系によって冗長化された伝送路にそれぞれ接続された信号送信手段および信号受信手段と、（ロ）伝送路に障害が発生したとき、自装置側の信号送信手段および信号受信手段を同時に交換する第１の交換モードと、自装置側の信号受信手段のみを交換する第２の交換モードのいずれかのモードに自装置を設定するモード設定手段と、（ハ）信号送信手段および信号受信手段と伝送路を介して接続された相手側の装置に対して自装置がモード設定手段で設定しているモードを適宜の時間間隔を置いて通知するモード通知手段と、（ニ）相手側の装置からその装置の設定しているモードが通知されたときこれを記憶する相手側モード記憶手段と、（ホ）相手側の装置と通信を開始したとき、モード設定手段および相手側モード記憶手段から自装置と相手側の装置が同一のモードに設定されているかどうかを判別するモード一致有無判別手段と、（へ）このモード一致有無判別手段がモードが一致しないと判別したとき相手側の装置の設定されているモードが自装置の設定されているモードに対して劣位のモードであるかどうかを判別するモード優劣判別手段と、（ト）このモード優劣判別手段で相手側の装置が自装置の設定されているモードに対して劣位のモードであると判別したとき相手側の装置に自装置の設定されているモードへの遷移を要求する優位モード遷移要求手段と、（チ）相手側の装置からその設定されているモードへの遷移が要求されたとき自装置をそのモードに変更する通信開始時モード変更手段とを通信装置に具備させる。
【００２９】
すなわち本発明では、通信装置がその信号送信手段および信号受信手段によって現用系と予備系によって冗長化された伝送路と接続されている。この通信装置は、モード設定手段によって、伝送路に障害が発生したとき、自装置側の信号送信手段および信号受信手段を同時に交換する第１の交換モードと、自装置側の信号受信手段のみを交換する第２の交換モードのいずれかのモードに自装置を設定するようになっている。また、伝送路によって接続された相手側の装置とそれぞれの設定されているモードをモード通知手段によって通知しあうようになっている。モード一致有無判別手段は、相手側の装置と通信を開始したとき、モード設定手段および相手側モード記憶手段から自装置と相手側の装置が同一のモードに設定されているかどうかを判別する。その結果、モードが一致しないと判別したときには、モード優劣判別手段が相手側の装置の設定されているモードが自装置の設定されているモードに対して劣位のモードであるかどうかを判別する。そして、相手側の装置が自装置の設定されているモードに対して劣位のモードであると判別したときには、優位モード遷移要求手段が相手側の装置に自装置の設定されているモードへの遷移を要求することにしている。また、自装置が相手側の装置からその設定されているモードへの遷移を要求されたときにはそのモードに変更するようにしている。これにより、両装置のモードが一致することになる。
【００３０】
請求項７記載の発明では、（イ）現用系と予備系によって冗長化された伝送路に障害が発生したとき、信号の受信に障害の発生した装置の信号受信手段だけでなくその信号送信手段も同時に交換する第１の交換モードと、信号の受信に障害の発生した装置の信号受信手段のみを交換する第２の交換モードのいずれかのモードに伝送路を介して接続された第１の装置および第２の装置のモードが設定されている状態で、伝送路に障害が発生したときこれを検知する伝送路障害検知手段と、（ロ）この伝送路障害検知手段によって伝送路の障害が検知されたとき、第１の装置および第２の装置が共に第１のモードに設定されているかどうかを判別する第１のモード設定判別手段と、（ハ）この第１のモード設定判別手段によって第１の装置および第２の装置が共に第１のモードに設定されていることが判別されたとき、伝送路の障害が検知された側の装置から相手側の装置に第２のモードへの遷移を要求させる第２のモード遷移要求手段と、（ニ）この第２のモード遷移要求手段によって相手側の装置に第２のモードへの遷移が要求された後、この相手側の装置が第２のモードに遷移したことを確認する相手側装置遷移確認手段と、（ホ）この相手側装置遷移確認手段によって相手側の装置が第２のモードに遷移したことが確認されたとき伝送路の障害が検知された側の装置を第２のモードに変更する第１のモード・第２のモード変更手段とをラインプロテクションシステムに具備させる。
【００３１】
すなわち本発明では、伝送路障害検知手段によって伝送路の障害が検知されたときには、第１のモード設定判別手段によって第１の装置および第２の装置が共に第１のモードに設定されているかどうかを判別し、共に第１のモードに設定されていることが判別されたときには、第２のモード遷移要求手段が伝送路の障害が検知された側の装置から相手側の装置に第２のモードへの遷移を要求させるようにしている。そして、第２のモード遷移要求手段によって相手側の装置に第２のモードへの遷移が要求された場合には、相手側装置遷移確認手段がこの後、この相手側の装置が第２のモードに遷移したことを確認し、第２のモードに遷移したことが確認されたときには、伝送路の障害が検知された側の装置を第２のモードに変更することで第１のモードから第２のモードへの変更を可能にしている。
【００３２】
請求項８記載の発明では、（イ）現用系と予備系によって冗長化された伝送路に障害が発生したとき、信号の受信に障害の発生した装置の信号受信手段だけでなくその信号送信手段も同時に交換する第１の交換モードと、信号の受信に障害の発生した装置の信号受信手段のみを交換する第２の交換モードのいずれかのモードに伝送路を介して接続された第１の装置および第２の装置のモードが設定されている状態で、伝送路の障害が復旧したときこれを検知する伝送路障害復旧検知手段と、（ロ）この伝送路障害復旧検知手段で伝送路の障害の復旧が検知されたとき、第１の装置および第２の装置が共に第２のモードに設定されているかどうかを判別する第２のモード設定判別手段と、（ハ）この第２のモード設定判別手段によって第１の装置および第２の装置が共に第２のモードに設定されていることが判別されたとき、伝送路の障害の復旧が検知された側の装置から相手側の装置に第１のモードへの遷移を要求させる第１のモード遷移要求手段と、（ニ）この第１のモード遷移要求手段によって相手側の装置に第１のモードへの遷移が要求された後、この相手側の装置が第１のモードに遷移したことを確認する相手側装置遷移確認手段と、（ホ）この相手側装置遷移確認手段によって相手側の装置が第１のモードに遷移したことが確認されたとき伝送路の障害の復旧が検知された側の装置を第１のモードに変更する第２のモード・第１のモード変更手段とをラインプロテクションシステムに具備させる。
【００３３】
すなわち本発明では、伝送路障害復旧検知手段で伝送路の障害の復旧が検知されたときには、第２のモード設定判別手段が第１の装置および第２の装置が共に第２のモードに設定されているかどうかを判別するようにしている。そして、第１の装置および第２の装置が共に第２のモードに設定されていることが判別されたときには、第１のモード遷移要求手段が伝送路の障害の復旧が検知された側の装置から相手側の装置に第１のモードへの遷移を要求させる。相手側の装置に第１のモードへの遷移が要求された後、相手側装置遷移確認手段は、この相手側の装置が第１のモードに遷移したことを確認し、相手側の装置が第１のモードに遷移したことが確認されたときには、第２のモード・第１のモード変更手段が伝送路の障害の復旧が検知された側の装置を第１のモードに変更するようにしている。
【００３４】
請求項９記載の発明では、（イ）現用系と予備系によって冗長化された伝送路に障害が発生したとき、信号の受信に障害の発生した装置の信号受信手段だけでなくその信号送信手段も同時に交換する第１の交換モードと、信号の受信に障害の発生した装置の信号受信手段のみを交換する第２の交換モードのいずれかのモードに伝送路を介して接続された第１の装置および第２の装置のモードが設定されている状態で、これら第１の装置および第２の装置が通信を開始したとき、これらの装置が同一のモードに設定されているかどうかを判別するモード一致有無判別手段と、（ロ）このモード一致有無判別手段によってモードが一致しないと判別されたとき第１の装置および第２の装置のいずれが優位のモードに設定されているかを判別するモード優位装置判別手段と、（ハ）このモード優位装置判別手段によって優位のモードに設定されていると判別された装置から相手側の装置に対して自装置の設定されているモードへの遷移を要求させる優位モード遷移要求手段と、（ニ）この優位モード遷移要求手段によってモードへの遷移を要求された装置をそのモードに変更する通信開始時モード変更手段とをラインプロテクションシステムに具備させる。
【００３５】
すなわち本発明では、第１の装置および第２の装置が通信を開始したとき、モード一致有無判別手段がこれらの装置が同一のモードに設定されているかどうかを判別するようにしている。そして、両者のモードが一致しないと判別されたときには、モード優位装置判別手段によって第１の装置および第２の装置のいずれが優位のモードに設定されているかを判別し、優位モード遷移要求手段は、優位のモードに設定されていると判別された装置から相手側の装置に対して自装置の設定されているモードへの遷移を要求させる。また、通信開始時モード変更手段が優位モード遷移要求手段によってモードへの遷移を要求された装置をそのモードに変更するようにしている。これにより、両装置のモードが一致することになる。
【００３６】
請求項１０記載の発明では、（イ）現用系と予備系によって冗長化された伝送路に障害が発生したとき、信号の受信に障害の発生した装置の信号受信手段だけでなくその信号送信手段も同時に交換する第１の交換モードと、信号の受信に障害の発生した装置の信号受信手段のみを交換する第２の交換モードのいずれかのモードに伝送路を介して接続された第１の装置および第２の装置のモードが設定されている状態で、伝送路に障害が発生したときこれを検知する伝送路障害検知ステップと、（ロ）この伝送路障害検知ステップで伝送路の障害が検知されたとき、第１の装置および第２の装置が共に第１のモードに設定されているかどうかを判別する第１のモード設定判別ステップと、（ハ）この第１のモード設定判別ステップで第１の装置および第２の装置が共に第１のモードに設定されていることが判別されたとき、伝送路の障害が検知された側の装置から相手側の装置に第２のモードへの遷移を要求させる第２のモード遷移要求ステップと、（ニ）この第２のモード遷移要求ステップで相手側の装置に第２のモードへの遷移が要求された後、この相手側の装置が第２のモードに遷移したことを確認する相手側装置遷移確認ステップと、（ホ）この相手側装置遷移確認ステップによって相手側の装置が第２のモードに遷移したことが確認されたとき伝送路の障害が検知された側の装置を第２のモードに変更する第１のモード・第２のモード変更ステップとをラインプロテクション制御方法に具備させる。
【００３７】
すなわち本発明では、伝送路障害検知ステップによって伝送路の障害が検知されたときには、第１のモード設定判別ステップで第１の装置および第２の装置が共に第１のモードに設定されているかどうかを判別する。そして、共に第１のモードに設定されていることが判別されたときには、第２のモード遷移要求ステップで伝送路の障害が検知された側の装置から相手側の装置に第２のモードへの遷移を要求させるようにしている。そして、第２のモード遷移要求ステップで相手側の装置に第２のモードへの遷移が要求された場合には、相手側装置遷移確認ステップで、この後、この相手側の装置が第２のモードに遷移したことを確認し、第２のモードに遷移したことが確認されたときには、第１のモード・第２のモード変更ステップで、伝送路の障害が検知された側の装置を第２のモードに変更することにしている。
【００３８】
請求項１１記載の発明では、（イ）現用系と予備系によって冗長化された伝送路に障害が発生したとき、信号の受信に障害の発生した装置の信号受信手段だけでなくその信号送信手段も同時に交換する第１の交換モードと、信号の受信に障害の発生した装置の信号受信手段のみを交換する第２の交換モードのいずれかのモードに伝送路を介して接続された第１の装置および第２の装置のモードが設定されている状態で、伝送路の障害が復旧したときこれを検知する伝送路障害復旧検知ステップと、（ロ）この伝送路障害復旧検知ステップで伝送路の障害の復旧が検知されたとき、第１の装置および第２の装置が共に第２のモードに設定されているかどうかを判別する第２のモード設定判別ステップと、（ハ）この第２のモード設定判別ステップで第１の装置および第２の装置が共に第２のモードに設定されていることが判別されたとき、伝送路の障害の復旧が検知された側の装置から相手側の装置に第１のモードへの遷移を要求させる第１のモード遷移要求ステップと、（ニ）この第１のモード遷移要求ステップで相手側の装置に第１のモードへの遷移が要求された後、この相手側の装置が第１のモードに遷移したことを確認する相手側装置遷移確認ステップと、（ホ）この相手側装置遷移確認ステップによって相手側の装置が第１のモードに遷移したことが確認されたとき伝送路の障害の復旧が検知された側の装置を第１のモードに変更する第２のモード・第１のモード変更ステップとをラインプロテクション制御方法に具備させる。
【００３９】
すなわち本発明では、伝送路障害復旧検知ステップによって伝送路の障害の復旧が検知されたときには、第２のモード設定判別ステップで第１の装置および第２の装置が共に第２のモードに設定されているかどうかを判別するようにしている。そして、第１の装置および第２の装置が共に第２のモードに設定されていることが判別されたときには、第１のモード遷移要求ステップによって伝送路の障害の復旧が検知された側の装置から相手側の装置に第１のモードへの遷移を要求させる。相手側の装置に第１のモードへの遷移が要求された後、相手側装置遷移確認ステップで、この相手側の装置が第１のモードに遷移したことを確認し、相手側の装置が第１のモードに遷移したことが確認されたときには、第２のモード・第１のモード変更ステップによって伝送路の障害の復旧が検知された側の装置を第１のモードに変更するようにしている。
【００４０】
請求項１２記載の発明では、（イ）現用系と予備系によって冗長化された伝送路に障害が発生したとき、信号の受信に障害の発生した装置の信号受信手段だけでなくその信号送信手段も同時に交換する第１の交換モードと、信号の受信に障害の発生した装置の信号受信手段のみを交換する第２の交換モードのいずれかのモードに伝送路を介して接続された第１の装置および第２の装置のモードが設定されている状態で、これら第１の装置および第２の装置が通信を開始したとき、これらの装置が同一のモードに設定されているかどうかを判別するモード一致有無判別ステップと、（ロ）このモード一致有無判別ステップでモードが一致しないと判別されたとき第１の装置および第２の装置のいずれが優位のモードに設定されているかを判別するモード優位装置判別ステップと、（ハ）このモード優位装置判別ステップで優位のモードに設定されていると判別された装置から相手側の装置に対して自装置の設定されているモードへの遷移を要求される優位モード遷移要求ステップと、（ニ）この優位モード遷移要求ステップでモードへの遷移を要求された装置をそのモードに変更する通信開始時モード変更ステップとをラインプロテクション制御方法に具備させる。
【００４１】
すなわち本発明では、第１の装置および第２の装置が通信を開始したとき、モード一致有無判別ステップでこれらの装置が同一のモードに設定されているかどうかを判別するようにしている。そして、両者のモードが一致しないと判別されたときには、モード優位装置判別ステップで第１の装置および第２の装置のいずれが優位のモードに設定されているかを判別し、優位モード遷移要求ステップで、優位のモードに設定されていると判別された装置から相手側の装置に対して自装置の設定されているモードへの遷移を要求させる。また、通信開始時モード変更ステップで、優位モード遷移要求手段によってモードへの遷移を要求された装置をそのモードに変更するようにしている。これにより、両装置のモードが一致することになる。
【発明の効果】
【００４２】
以上説明したように本発明によれば、たとえばＡＰＳバイト等の相手装置への伝達情報に状態の遷移に関する情報を付加するといった手法を採用することで、障害の発生に対してプロテクションモードの自動切り替えを実現することができる。したがって、ラインの障害発生と通信装置内部の障害発生が重複したような事態が発生しても、装置間を伝送される信号の断を極力防止することができる。
【００４３】
また、本発明では各通信装置のモード設定について初期的なミスがあっても、これを予め定めたモードに正しく設定することができる。したがって、人手によるモードの設定を省略することも可能である。
【発明を実施するための最良の形態】
【００４４】
以下実施例につき本発明を詳細に説明する。
【実施例１】
【００４５】
図１は、本発明の第１の実施例におけるラインプロテクション制御システムを構成する局を示したものである。ここでは、システムを構成する局の１つとしてのＡ局２０１Ａの構成を表わしている。後に説明するＢ局２０１Ｂも回路構成は同一であるが、説明のために両者を区別する必要がある。そこでＡ局２０１Ａを構成するそれぞれの回路部品を表わす数字の末尾に記号「Ａ」を付記しており、この図１には示していないＢ局２０１Ｂについては記号「Ａ」の代わりに記号「Ｂ」を付すことにする。
【００４６】
第１の実施例のラインプロテクション制御システムを構成するＡ局２０１Ａは、ワーク（Ｗｏｒｋ；現用）側インタフェース（ＩＦ）部２１１Ａが図示しない対局（Ｂ局２０１Ｂ）のワーク側インタフェース回路との間に２本のワーク側主信号ライン２１２（送信方向）、２１３（受信方向）を接続している。また、プロテクト（Ｐｒｏｔｅｃｔ；予備）側インタフェース（ＩＦ）部２１４Ａが図示しない対局（Ｂ局２０１Ｂ）のプロテクト側インタフェース回路との間に２本のプロテクト側主信号ライン２１５（送信方向）、２１６（受信方向）を接続している。
【００４７】
Ａ局２０１Ａには、ラインの切り替えを行うスイッチ部２１７Ａと、障害発生時のプロテクション制御を行うプロテクション動作制御部２１８ＡおよびＡＰＳバイトの処理を行うＡＰＳバイト処理部２１９Ａが配置されている。更に、第１の実施例のＡ局２０１Ａには、図２０に示した従来のＡ局１０１Ａと比較すると、ＡＰＳバイト処理監視部２２１Ａ、固定ＡＰＳバイト挿入回路２２２Ａ、固定プロテクション制御指示回路２２３Ａ、セレクタ２２４Ａおよびセレクタ指示回路２２５Ａが新たに追加されている。
【００４８】
またＡ局２０１Ａには、従来から備えられている回路として、ＡＰＳバイト処理部２１９Ａにおけるセレクタ２２４Ａと対向する側にはＡＰＳバイト送信回路２３１Ａが配置され、ＡＰＳバイト処理部２１９Ａにおけるプロテクト側インタフェース部２１４Ａと対向する側にはＡＰＳバイト受信回路２３２Ａが配置されている。更に従来から備えられている回路として、ワーク側インタフェース部２１１Ａにおけるプロテクション動作制御部２１８Ａと対向する側にはワーク側インタフェース受信アラーム送信回路２３３Ａが配置され、プロテクト側インタフェース部２１４Ａにおけるプロテクション動作制御部２１８Ａと対向する側にはプロテクト側インタフェース受信アラーム送信回路２３４Ａが配置されている。
【００４９】
ここで、ＡＰＳバイト処理部２１９Ａは、ワーク側インタフェース部２１１Ａおよびプロテクト側インタフェース部２１４Ａで受信したＳＤＨ／ＳＯＮＥＴ信号から取り出したＡＰＳバイト（Ｋ１、Ｋ２バイト）を終端する。そして、対向側（Ｂ局２０１Ｂ）の切替要求および障害発生状態を認識して、自局に対するプロテクションの切替状態の指示をプロテクション動作制御部２１８Ａに伝えるようになっている。また、ＡＰＳバイト処理部２１９Ａが、プロテクション動作制御部２１８Ａの障害を検知した場合に、ＡＰＳバイト送信回路２３１Ａを通してＡＰＳバイトのＫ２における６から８ビットに「ＵＮＩ遷移」コードを送信するようになっている。
【００５０】
ＡＰＳバイト処理監視部２２１Ａは、ＡＰＳバイト処理部２１９Ａの状態を監視するようになっている。そして、ＡＰＳバイト処理部２１９ＡがＡＰＳバイトに関して受信不能あるいは送信不能、またはＡＰＳバイト処理部２１９Ａ自体がフリーズ状態等の異常な状態になった際には、これを検知する。そして、ＡＰＳバイト処理監視部２２１Ａは、固定ＡＰＳバイト挿入回路２２２Ａを通して固定値として、Ｋ１バイトおよびＫ２バイトの１から４ビットについて「切替状態正常」を表わす値をＡＰＳバイト送信回路２３１Ａに挿入すると共に、Ｋ２バイトの６から８ビットについては「０１０（片方向遷移）」を同様にＡＰＳバイト送信回路２３１Ａに挿入するようになっている。
【００５１】
またＡＰＳバイト処理監視部２２１Ａは、この異常な状態になった際には、固定プロテクション制御指示回路２２３Ａを通じてプロテクション動作制御部２１８Ａに対して、１＋１片方向ラインプロテクションへ変更する指示を表わした信号を供給するようになっている。これは、第１の実施例では所定の障害発生時に１＋１片方向ラインプロテクションへ自動的に変更することでこの障害に一時的に対処することにし、最終的には保守作業等の場で基板を交換して１＋１双方向ラインプロテクションに移行させるようにしている。
【００５２】
スイッチ部２１７Ａは、送信する信号をワーク側主信号ライン２１２とプロテクト側主信号ライン２１５に分岐して対局に送出するための送信信号分岐部２４１Ａと、ワーク側主信号ライン２１３およびプロテクト側主信号ライン２１６を経て対局である図示しないＢ局２０１Ｂから送られてきた受信信号の一方を選択するスイッチとしての受信信号切替部２４２Ａから構成されている。このようなスイッチ部２１７Ａの構成自体は、従来と同様である。
【００５３】
なお、図１に示したワーク側インタフェース部２１１Ａ、プロテクト側インタフェース部２１４Ａ、プロテクション動作制御部２１８Ａ、ＡＰＳバイト処理部２１９Ａ、ＡＰＳバイト処理監視部２２１Ａ等の回路主要部は、それぞれ独自に図示しないＣＰＵ（Central Processing Unit）を備えており、同じく図示しない記憶媒体に格納された制御用プログラムを実行することで所定の制御を行うようになっている。また、Ａ局２０１Ａには全体を制御するＣＰＵも備えられており、Ａ局２０１Ａとしての統一的な制御が行われている。
【００５４】
図２は、第１の実施例におけるラインプロテクション制御システムの構成の概要を表わしたものである。このラインプロテクション制御システム２００では、Ａ局２０１ＡとＢ局２０１Ｂの間で信号が送受信されるものとしている。Ａ局２０１Ａの構成は図１よりも簡略化して示している。Ｂ局２０１Ｂの構成についても同様である。
【００５５】
この図２では、伝送路に障害の発生していない１＋１双方向ラインプロテクションの正常状態を表わしている。この状態で、Ａ局２０１ＡとＢ局２０１Ｂの双方のプロテクション動作制御部２１８Ａ、２１８Ｂは、双方向ラインプロテクションで動作している。このとき、ＡＰＳバイト処理部２１９Ａ、２１９Ｂは、Ｋ２の６〜８ビットが、「双方向」を示すコードで構成されたＡＰＳバイトを互いに送信している。
【００５６】
この正常状態で、Ａ局２０１Ａから送出される信号は、現用系としてのワーク側主信号ライン２１２および予備系としてのプロテクト側主信号ライン２１５を用いてＢ局２０１Ｂのスイッチ部２１７Ｂに到達し、ここでワーク側主信号ライン２１２の信号が選択される。また、Ｂ局２０１Ｂから送出される信号は現用系としてのワーク側主信号ライン２１３および予備系としてのプロテクト側主信号ライン２１６を用いてＡ局２０１Ａのスイッチ部２１７Ａに到達し、ここでワーク側主信号ライン２１３の信号が選択される。
【００５７】
ところで第１の実施例では、ＡＰＳバイトのうちのＫ２バイトの６から８ビットに対して新たに「０１０（片方向遷移）」、「０１１（双方向遷移）」の２つを新たに規定している。従来からあるコード「１０１（双方向）」、「１００（片方向）」はそれぞれ自局の動作する１＋１ラインプロテクションのモードを表わし、相手に伝えることで両者が同一のモードになっていることを確認するだけのためのコードである。
【００５８】
第１の実施例で新たに規定した「０１０（片方向遷移）」コードは、相手局が１＋１片方向ラインプロテクションに遷移することを要求するコードである。相手局が１＋１片方向ラインプロテクションのモードとなっており、自局が１＋１双方向ラインプロテクションのモードとなっているときには、モードが不一致でシステムが動作しないので、一致させるためにこの要求を行う。また、「０１１（双方向遷移）」コードは相手局の１＋１ラインプロテクションモードを１＋１双方向ラインプロテクションに遷移させる要求を行うコードである。
【００５９】
第１の実施例のラインプロテクション制御システム２００では、新規に追加したこれら２つのコード「０１０（片方向遷移）」、「０１１（双方向遷移）」と、従来から規定されている２つのコード「１０１（双方向）」、「１００（片方向）」を組み合わせることで、プロテクションモードの自動切替シーケンスを実現している。
【００６０】
図３は、第１の実施例のＡＰＳバイト処理部の処理動作を表わしたものである。図２における２つのＡＰＳバイト処理部２１９Ａ、２１９Ｂは、共にこの図３に示すテーブル２４５Ａ、２４５Ｂを備えており、これに基づいてＡＰＳバイトの処理を行うことになる。テーブル２４５Ａ（２４５Ｂ）で「自分の出すＡＰＳバイト」とは、たとえばＡ局２０１Ａを自局とすると、ＡＰＳバイト処理部２１９Ａの処理によってＢ局２０１Ｂに送出されるＡＰＳバイトをいい、「相手から来るＡＰＳバイト」とは、この例ではＢ局２０１ＢからＡ局２０１Ａに送られてくるＡＰＳバイトをいう。「動作モード」とは、この例では相手のＢ局２０１Ｂから送られてくるＡＰＳバイトによってＡ局２０１Ａの変更後のモードであり、「送信ＡＰＳ」とは、そのときにＡ局２０１ＡがＢ局２０１Ｂに送信するＡＰＳバイトをいう。たとえばＡ局２０１Ａが「双方向遷移」を表わしたＡＰＳバイトを送信中にＢ局２０１Ｂから「片方向」を表わしたＡＰＳバイトを受けたときには、Ａ局２０１Ａはそのプロテクションモードを「片方向」に変化させると共に、Ｂ局２０１Ｂに対して「双方向遷移」のＡＰＳバイトを送信することになる。
【００６１】
図４は、Ａ局とＢ局の送出するＡＰＳバイトの変化の様子とプロテクションモードの関係を表わしたものである。図２および図３と共に説明する。第１の実施例のラインプロテクション制御システム２００では、何らの障害も発生していない状態で、Ａ局２０１ＡとＢ局２０１Ｂが１＋１双方向ラインプロテクションのモードとなっている。この状況では、図４の区間３０１に示したようにＡ局２０１ＡとＢ局２０１Ｂは、互いに所定の時間を置きながら、現在の自局の状態である「１０１（双方向）」のＡＰＳバイト（Ｋ１、Ｋ２バイト）２５１、２５２を送出している。
【００６２】
この正常状態で、Ａ局２０１Ａから「双方向」を表わしたＡＰＳバイト２５１がＢ局２０１Ｂに送出される。Ｂ局２０１ＢのＡＰＳバイト処理部２１９Ｂは、この「双方向」を表わしたＡＰＳバイト２５１を受け取ると、現在のＢ局２０１Ｂも「双方向」のモードなので、図３のテーブル２４５Ａ（２４５Ｂ）で示したように「双方向」のモードを維持し、「双方向」を表わしたＡＰＳバイト２５２を送出することになる。Ｂ局２０１Ｂから「双方向」を表わしたＡＰＳバイト２５２がＡ局２０１Ａに送出された場合にも、同様の処理が行われる。このようにして、Ａ局２０１ＡとＢ局２０１Ｂは、障害が発生するまで、定期的にＡＰＳバイト２５１、２５２を出しながら１＋１双方向ラインプロテクションのモードを保持する。
【００６３】
＜ＡＰＳバイト処理部に障害が発生した場合の動作＞
【００６４】
図５は、Ｂ局のＡＰＳバイト処理部に障害が発生した場合を表わしたものである。まず、ＡＰＳバイト処理部２１９Ｂに障害３１１が発生した場合のラインプロテクション制御システム２００の動作を説明する。ＡＰＳバイト処理部２１９Ｂに障害３１１が発生すると、ＡＰＳバイト処理監視部２２１Ｂがこれを検知する。この検知の手法は、各種の公知の障害検知に関する手法を活用することができる。たとえばＡＰＳバイト処理部２１９Ｂが一定の間隔を置いてＡＰＳバイト処理監視部２２１Ｂに対して正常であることを示す信号を送出するようにして、この信号が来なくなったとき障害３１１が発生したことを検知するようにしてもよい。反対に、ＡＰＳバイト処理監視部２２１Ｂが間隔を置いてＡＰＳバイト処理部２１９Ｂに健全性の有無を問い合わせ、これに対する返答の有無あるいは返答の内容をチェックしてＡＰＳバイト処理部２１９Ｂに障害３１１が発生したかどうかを検知することもできる。
【００６５】
ＡＰＳバイト処理監視部２２１ＢがＡＰＳバイト処理部２１９Ｂの障害３１１を検知すると、プロテクション動作制御部２１８Ｂをその直前の「双方向」のモードから「片方向」のモードに変更する。また、ＡＰＳバイト処理監視部２２１Ｂは、固定ＡＰＳバイト挿入回路２２２Ｂから「０１０（片方向遷移）」コードをセレクタ２２４Ｂに出力させ、セレクタ指示回路２２５Ｂの指示によってこの「０１０（片方向遷移）」コードを用いたＡＰＳバイト２５２をセレクタ２２４Ｂから出力させる。このＡＰＳバイト２５２は、プロテクト側インタフェース部２１４ＢからＡ局２０１Ａに送出される。
【００６６】
このとき、Ａ局２０１Ａのプロテクション動作制御部２１８Ａは、まだ「双方向」のモードを維持している。したがって、この状態ではＡ局２０１ＡからＢ局２０１Ｂへは「１０１（双方向）」のＡＰＳバイト２５１が依然として出力されている。
【００６７】
図４の区間３０２の開始時点でＢ局２０１Ｂから「０１０（片方向遷移）」のＡＰＳバイト２５２が出力されると、これがＡ局２０１Ａのプロテクト側インタフェース部２１４Ａを介してＡＰＳバイト処理部２１９Ａに到達する。ＡＰＳバイト処理部２１９Ａでは、自局の出すＡＰＳバイトが「双方向」で相手から来るＡＰＳバイトが「片方向遷移」ということになるので、Ａ局２０１Ａを「片方向」のモードに変更する。Ａ局２０１Ａはモードの切り替えを完了させると、ＡＰＳバイト２５１のＫ２、６から８ビットに「１００（片方向）」コードを挿入（上書き）する。そして、この変更後のＡＰＳバイト２５１をＢ局２０１Ｂに送出する。このＡＰＳバイト２５１はＢ局２０１ＢのＡＰＳバイト処理部２１９Ｂに到達するが、ＡＰＳバイト処理部２１９は障害３１１を発生させているので、動作しない。このようにして１＋１片方向ラインプロテクションへの自動切替が完了となる。
【００６８】
図６は、図４に示す区間３０２の後半の状態を表わしたものである。Ａ局２０１Ａからは「１００（片方向）」のＡＰＳバイト２５１が出力され、Ｂ局２０１Ｂからは「０１０（片方向遷移）」のＡＰＳバイト２５２が出力されている。また、この状態でＢ局２０１Ｂのプロテクション動作制御部２１８ＢのみでなくＡ局２０１Ａのプロテクション動作制御部２１８Ａも「片方向」のモードに設定されている。
【００６９】
図６の状態において、プロテクション動作制御部２１８Ａ、２１８Ｂは片方向ラインプロテクションにて動作している為、ワーク側のライン２１２、２１３に障害が発生した際にはＡＰＳバイト処理部２１９Ａ、２１９Ｂを使用せずにプロテクション側ライン２１５、２１６へ切り替えることができる。したがって、Ｂ局２０１ＢからＡ局２０１Ａの方向のラインに障害が発生した場合とＡ局２０１ＡからＢ局２０１Ｂの方向のラインに障害が発生した場合の双方において、プロテクション制御により信号を救済することができる。
【００７０】
図７は、Ｂ局に生じた障害が復旧した際のラインプロテクション制御システムの動作を表わしたものである。この図７に示すように障害３１１が復旧すると、ＡＰＳバイト処理監視部２２１Ｂがこれを検知する。この検知は、障害３１１の発生の検知動作と同様にして行うことができる。この段階でＡＰＳバイト処理監視部２２１Ｂは、固定ＡＰＳバイト挿入回路２２２Ｂと固定プロテクション制御指示回路２２３Ｂへ供給していた信号を停止する。
【００７１】
一方、ＡＰＳバイト処理部２１９Ｂは障害３１１の復旧と共に障害発生前の動作で動き始める。障害３１１が復旧したことにより、ＡＰＳバイト処理部２１９Ｂはプロテクション動作制御部２１８Ｂに対して双方向ラインプロテクションで動作するよう指示する信号を供給する。プロテクション動作制御部２１８Ｂで「片方向」から「双方向」にモードの切り替えが完了すると、プロテクション動作制御部２１８ＢはＡＰＳバイト処理部２１９Ｂに対して切替完了通知を供給する。
【００７２】
ＡＰＳバイト処理部２１９Ｂは切替完了通知を受けて、ＡＰＳバイト２５２に「１０１（双方向）」コードを挿入（上書き）して、ＡＰＳバイト送信回路２３１ＢからＡ局２０１Ａに送信する。この時点でＡ局２０１Ａは「片方向」のモードのままである。したがって、図７に示したようにＡ局のラインプロテクションモードとＢ局のラインプロテクションモードが食い違う状況になる。
【００７３】
図８は、障害が復旧してＢ局のモードが切り替えられた後、Ａ局からこれと違うモードを表わしたＡＰＳバイトが到来したときのシステムの動作を表わしたものである。前記したようにＡ局２０１Ａは「片方向」のモードのままなので、図４の区間３０２の後半に示すように、Ｂ局２０１ＢのＡＰＳバイト処理部２１９ＢはＡＰＳバイト２５１によって「１００（片方向）」コードを与えられることになる。すると、ＡＰＳバイト処理部２１９Ｂはラインプロテクションモードの相違を基にして「０１１（双方向遷移）」コードを挿入（上書き）するように変化する。これにより、区間３０３の前半に示すように、Ｂ局２０１Ｂから「０１１（双方向遷移）」のＡＰＳバイト２５２がＡ局２０１Ａに送出される。
【００７４】
これにより、Ａ局２０１ＡのＡＰＳバイト処理部２１９Ａは、Ｂ局２０１Ｂから「０１１（双方向遷移）」コードを与えられることになる。ＡＰＳバイト処理部２１９Ａは、図３のテーブル２４５Ａ（２４５Ｂ）に従って、動作モードが「片方向」から「双方向」に切り替わる。ＡＰＳバイト処理部２１９Ａはこれに基づいて、プロテクション動作制御部２１８Ａに対して双方向ラインプロテクションで動作するよう指示する信号を供給する。プロテクション動作制御部２１８Ａで、この指示に基づいたモードの切り替えが完了すると、ＡＰＳバイト処理部２１９Ａに切替完了通知が供給される。ＡＰＳバイト処理部２１９Ａは、これを基にして、ＡＰＳバイト２５１に「１０１（双方向）」コードを挿入（上書き）して、Ｂ局２０１Ｂに送出させる。図４の区間３０３の後半は、このＡＰＳバイト２５１がＡ局２０１ＡからＢ局２０１Ｂに送出される様子を表わしている。
【００７５】
図９は、Ａ局に「０１１（双方向遷移）」コードが与えられたときのラインプロテクション制御システムの動作を表わしたものである。ＡＰＳバイト処理部２１９Ｂが「０１１（双方向遷移）」コードのＡＰＳバイト２５２を送出している段階で、Ｂ局２０１Ｂは前記した処理で「１０１（双方向）」コードが挿入されたＡＰＳバイト２５１を受信する。これを基にＡＰＳバイト処理部２１９Ｂはプロテクション動作制御部２１８Ｂに対して双方向ラインプロテクションで動作するよう指示する信号を供給する。
【００７６】
プロテクション動作制御部２１８Ｂは既に双方向にて動作している。したがって、ＡＰＳバイト処理部２１９Ｂからこの指示を受けると、Ａ局２０１Ａに「双方向遷移」の指示が伝達されたことを判別することができ、ＡＰＳバイト処理部２１９Ｂに切替完了通知を送出する。ＡＰＳバイト処理部２１９Ｂはこの切替完了通知を受けると、「０１１（双方向遷移）」コードをＡＰＳバイト２５２として送出する必要がなくなったことを判別し、それ以後は図９に示すようにＡＰＳバイト２５２に「１０１（双方向）」コードを挿入（上書き）する。この状態で１＋１双方向ラインプロテクションへの自動切替が完了する。図４の区間３０４がＢ局２０１ＢのこのＡＰＳバイト２５２の送出を表わしている。
【００７７】
これ以後は、障害が発生しない限り、図４の区間３０５あるいは区間３０１で示すように、Ａ局２０１ＡとＢ局２０１Ｂはそれぞれ自局が「双方向」のモードに設定されていることを示すＡＰＳバイト２５１あるいはＡＰＳバイト２５２を定期的に送出することになる。
【００７８】
＜プロテクション動作制御部に障害が発生した場合の動作＞
【００７９】
次に、プロテクション動作制御部２１８Ｂに障害が発生した場合のラインプロテクション制御システム２００の動作を説明する。プロテクション動作制御部２１８Ｂに障害が発生する前のラインプロテクション制御システム２００は、図２に示した１＋１双方向ラインプロテクションの正常状態の動作となっている。このとき、ＡＰＳバイト処理部２１９Ａ、２１９Ｂは、Ｋ２の６〜８ビットが、「双方向」を示すコードで構成されたＡＰＳバイトを互いに送信している（図４の区間３０１参照）。
【００８０】
図１０は、Ｂ局のプロテクション動作制御部に障害が発生した状況を示したものである。プロテクション動作制御部２１８Ｂに障害３２１が発生すると、ＡＰＳバイト処理部２１９Ｂはこれを検知する。障害３２１の検知には公知の手法を使用することができる。ＡＰＳバイト処理部２１９Ｂは、この検知結果を基にしてＡＰＳバイト送信回路２３１Ｂに対して「０１０（片方向遷移）」コードを供給する。
【００８１】
この結果、Ｂ局２０１ＢからＡ局２０１Ａに対して、図４の区間３０２の前半に示すように「０１０（片方向遷移）」のＡＰＳバイト２５２が送出される。このとき、Ａ局２０１Ａは以前と同様に「１０１（双方向）」のＡＰＳバイト２５１をＢ局２０１Ｂに送出している。
【００８２】
図１１は、「０１０（片方向遷移）」のＡＰＳバイトを受信したＡ局の動作を表わしたものである。Ａ局２０１ＡのＡＰＳバイト処理部２１９Ａは、Ｂ局２０１Ｂから「０１０（片方向遷移）」コードのＡＰＳバイト２５２を与えられると、図３に示したテーブル２４５Ａ（２４５Ｂ）に従って、プロテクション動作制御部２１８Ａに対して片方向ラインプロテクションで動作するよう指示する信号を供給する。プロテクション動作制御部２１８Ａはこの指示に従って「片方向」へのモードの切り替えを完了させて、ＡＰＳバイト処理部２１９Ａに切替完了通知を送出する。
【００８３】
ＡＰＳバイト処理部２１９Ａは、切替完了通知を受信すると、ＡＰＳバイト２５１に「１００（片方向）」コードを挿入（上書き）して、ＡＰＳバイト送信回路２３１ＡからＢ局２０１Ｂに送信する。これは、図４の区間３０２における後半部分に示す通りである。
【００８４】
Ｂ局２０１Ｂでは、Ａ局２０１Ａに対してＡＰＳバイト処理部２１９Ｂから「０１０（片方向遷移）」コードのＡＰＳバイト２５２を送信中に、Ａ局２０１Ａから「１００（片方向）」コードのＡＰＳバイト２５１を受信する。ＡＰＳバイト処理部２１９Ｂは、Ａ局２０１Ａからこの「０１０（片方向遷移）」コードのＡＰＳバイト２５２を受信すると、プロテクション動作制御部２１８Ｂに対して片方向ラインプロテクションで動作するよう指示する信号を送出する。しかしながら、プロテクション動作制御部２１８Ｂは障害３２１が発生しているので、この指示によっては「片方向」のモードへの切り替えが完了しない。したがって、Ｂ局２０１Ｂの出すＡＰＳバイト２５２は「０１０（片方向遷移）」コードのままである。すなわち、この状態で１＋１片方向ラインプロテクションへの自動切替が完了となる。
【００８５】
この図１１に示した状況では、Ａ局２０１Ａのみが１＋１片方向リニアプロテクションで動作する。したがって、Ｂ局２０１ＢからＡ局２０１Ａの方向のラインに障害が発生した場合には、プロテクション制御により信号を救済することができる。これとは逆のＡ局２０１ＡからＢ局２０１Ｂの方向のラインに障害が発生した場合は、プロテクション動作制御部２１８Ｂに障害が発生しているので、送られてくる信号を救済することはできない。
【００８６】
図１２は、Ｂ局のプロテクション動作制御部の障害が復旧した際のラインプロテクション制御システムの動作を表わしたものである。この図１２に示すように障害３２１が復旧すると、プロテクション動作制御部２１８ＢはＡＰＳバイト処理部２１９Ｂから送信される片方向へのモード変更指示をこの時点から受け入れることができるようになる。プロテクション動作制御部２１８Ｂは、片方向へのモード変更指示を受け入れたとき、「双方向」のモードから「片方向」のモードへと変更する。このようにしてモードの切り替えが完了すると、プロテクション動作制御部２１８ＢはＡＰＳバイト処理部２１９Ｂに切替完了通知を出力する。ＡＰＳバイト処理部２１９Ｂは、切替完了通知を受け取ると、ＡＰＳバイト２５２に「０１１（双方向遷移）」コードを挿入（上書き）して、ＡＰＳバイト送信回路２３１ＢからＡ局２０１Ａに送信する。これは、図４の区間３０３の前半部分に対応する。
【００８７】
図１３は、Ａ局に「０１１（双方向遷移）」コードが与えられたときのラインプロテクション制御システムの動作を表わしたものである。「０１１（双方向遷移）」コードが挿入されたＡＰＳバイト２５２がＡ局２０１Ａに到達すると、ＡＰＳバイト処理部２１９Ａはプロテクション動作制御部２１８Ａに対して双方向ラインプロテクションで動作するよう指示する信号を供給する。プロテクション動作制御部２１８Ａは、これを基にしてモードの切り替えを完了させて、ＡＰＳバイト処理部２１９Ａに切替完了通知を送出する。ＡＰＳバイト処理部２１９Ａは、切替完了通知を受け取ると、ＡＰＳバイト２５１に「１０１（双方向）」コードを挿入（上書き）して、ＡＰＳバイト送信回路２３１ＡからＢ局２０１Ｂに送信する。これは、図４の区間３０３の後半部分に対応する。
【００８８】
図１４は、Ｂ局に「１０１（双方向）」コードが与えられたときのラインプロテクション制御システムの動作を表わしたものである。Ｂ局２０１ＢのＡＰＳバイト処理部２１９Ｂは、「０１１（双方向遷移）」コードの挿入されたＡＰＳバイト２５２を送信中にＡ局２０１Ａから「１０１（双方向）」コードの挿入されたＡＰＳバイト２５１を受信する。すると、ＡＰＳバイト処理部２１９Ｂは、プロテクション動作制御部２１８Ｂに対して、双方向ラインプロテクションで動作するよう指示する信号を供給する。
【００８９】
プロテクション動作制御部２１８Ｂは、この指示に基づいて「片方向」のモードから「双方向」のモードへ切り替える。この切り替えが完了すると、プロテクション動作制御部２１８ＢはＡＰＳバイト処理部２１９Ｂに対して切替完了通知を送出する。ＡＰＳバイト処理部２１９Ｂはこの切替完了通知を受信すると、ＡＰＳバイト２５２に「１０１（双方向）」コードを挿入（上書き）して、ＡＰＳバイト送信回路２３１ＢからＡ局２０１Ａに送信する。これは、図４の区間３０４に対応する。
【００９０】
この時点で、１＋１双方向ラインプロテクションへの自動切替が完了となる。これ以後は、障害が発生しない限り、図４の区間３０５あるいは区間３０１で示すように、Ａ局２０１ＡとＢ局２０１Ｂはそれぞれ自局が「双方向」のモードに設定されていることを示すＡＰＳバイト２５１あるいはＡＰＳバイト２５２を定期的に送出することになる。
【００９１】
以上説明した本実施例のラインプロテクション制御システム２００によれば、１＋１片方向ラインプロテクションで切替動作にＡＰＳバイトを使用していない。そして、自局で検知したラインの障害情報およびコマンドのプロテクション制御情報のみを切替要因としたプロテクションを実施する。このため、対局の切替状態および障害発生状態に依存せず、自局の制御のみでプロテクションを実施することができる。
【００９２】
本実施例では、１＋１双方向ラインプロテクションが機能しなくなった際に、自動的に１＋１片方向ラインプロテクションへプロテクションモードへ変更している。これにより、通常の１＋１双方向ラインプロテクションでは救済できなかった、プロテクション動作制御部２１８またはＡＰＳバイト処理部２１９の障害時におけるラインの障害発生時に、ＡＰＳバイト処理部およびプロテクション動作制御部の障害が発生していない局で検知したライン障害を１＋１片方向ラインプロテクションによって、救済することができる。
【００９３】
ここで、救済できる信号は故障した個所により異なる。プロテクション動作制御部２１８が故障した場合は、障害が発生していないノードで受信する方向の信号のみを救済することができる。従って、信号全体のうち、半分を救済できる。ＡＰＳバイト処理部２１９のみが故障した場合には、自局内でプロテクション動作制御部２１８に自動的に１＋１片方向ラインプロテクションになるような命令を挿入することにより、すべてのライン障害を救済することができる。すなわち、この場合には信号全体を救済することができる。
【００９４】
プロテクション動作制御部２１８またはＡＰＳバイト処理部２１９の故障発生の際に、手動で１＋１双方向ラインプロテクションから１＋１片方向ラインプロテクションに変更することは従来でも可能である。しかしながら、従来のシステムでは障害発見からプロテクションモード変更までにかかる時間が大きく、また障害の発生していないノードしか変更することができない。
【実施例２】
【００９５】
図１５は、本発明の第２の実施例におけるラインプロテクション制御システムを構成する局を示したものである。ここでは、システムを構成する局の１つとしてのＡ局４０１Ａの構成を表わしている。後に説明するＢ局４０１Ｂも回路構成は同一である。また、図１５で図１と同一部分には同一の符号を付しており、これらの説明を適宜省略する。図１と対比すると分かるように、第２の実施例のＡ局４０１Ａは、図２におけるＡＰＳバイト処理監視部２２１Ａ、固定ＡＰＳバイト挿入回路２２２Ａ、固定プロテクション制御指示回路２２３Ａ、セレクタ２２４Ａおよびセレクタ指示回路２２５Ａが削除された構成となっている。
【００９６】
図１６は、この第２の実施例におけるラインプロテクション制御システムの構成の概要を表わしたものである。このラインプロテクション制御システム４００では、Ａ局２０１ＡとＢ局２０１Ｂの間で信号が送受信されるものとしている。Ａ局２０１Ａの構成は図１５よりも簡略化して示している。Ｂ局２０１Ｂの構成についても同様である。
【００９７】
ところで、このラインプロテクション制御システム４００では、互いに一致させて初期設定すべき「双方向」あるいは「片方向」のラインプロテクションモードについて、設定ミスで間違って設定した場合、あるいは設定自体を行わなかった場合に、自動的にモードを整合させることができるようになっている。本実施例では、プロテクションモード誤設定時に自動モード切替により１＋１双方向ラインプロテクションのモードに修正する場合を説明する。図１６におけるＡ局４０１Ａのプロテクション動作制御部２１８Ａは初期的に「片方向」のモードに設定されており、Ｂ局４０１Ｂのプロテクション動作制御部２１８Ｂは初期的に「双方向」のモードに設定されている。
【００９８】
したがって、ラインプロテクション制御システム４００が立ち上がると、Ａ局４０１ＡからＢ局４０１Ｂには、「１００（片方向）」コードのＡＰＳバイト２５１が送出される。また、Ｂ局４０１ＢからＡ局４０１Ａには、「１０１（双方向）」コードのＡＰＳバイト２５２が送出されることになる。
【００９９】
図１７は、Ｂ局のＡＰＳバイト処理部がＡ局から「１００（片方向）」コードを与えられたときのラインプロテクション制御システムの動作を表わしたものである。Ｂ局４０１ＢのＡＰＳバイト処理部２１９Ｂは、Ａ局４０１Ａから「１００（片方向）」コードの挿入（上書き）されたＡＰＳバイト２５１を受け取る。そして、図３に示すテーブル２４５Ａ（２４５Ｂ）に従って、自局が「双方向」のモードで相手局が「片方向」のモードなので、自局を「双方向」のモードのままに保持して、ＡＰＳバイト２５２に「０１１（双方向遷移）」コードを挿入（上書き）する。したがって、この時点で、Ａ局４０１ＡからＢ局４０１Ｂには、「１００（片方向）」コードのＡＰＳバイト２５１が送出され、Ｂ局４０１ＢからＡ局４０１Ａには、「０１１（双方向遷移）」コードのＡＰＳバイト２５２が送出されることになる。
【０１００】
図１８は、Ａ局のＡＰＳバイト処理部がＢ局から「０１１（双方向遷移）」コードを与えられたときのラインプロテクション制御システムの動作を表わしたものである。Ａ局４０１ＡのＡＰＳバイト処理部２１９Ａは、Ｂ局４０１Ｂから「０１１（双方向遷移）」コードのＡＰＳバイト２５２を受け取る。そこで、ＡＰＳバイト処理部２１９Ａは、プロテクション動作制御部２１８Ａに双方向ラインプロテクションで動作するよう指示する信号を出力する。プロテクション動作制御部２１８Ａはこの指示を受け取ると「双方向」のモードに切り替える。この切り替えが完了すると、プロテクション動作制御部２１８Ａは切替完了通知をＡＰＳバイト処理部２１９Ａに出力する。
【０１０１】
ＡＰＳバイト処理部２１９Ａは切替完了通知を受け取ると、図３に示すテーブル２４５Ａ（２４５Ｂ）の内容から、自局が「片方向」のモードで相手局が「双方向遷移」のモードなので、自局を「双方向」のモードに変更して、ＡＰＳバイト２５１に「１０１（双方向）」コードを挿入（上書き）してＢ局４０１Ｂに送出する。したがって、この時点で、Ａ局４０１ＡからＢ局４０１Ｂには、「１０１（双方向）」コードのＡＰＳバイト２５１が送出され、Ｂ局４０１ＢからＡ局４０１Ａには、「０１１（双方向遷移）」コードのＡＰＳバイト２５２が送出されることになる。
【０１０２】
図１９は、Ｂ局がこの後にＡ局から「１０１（双方向）」コードを受信した場合のラインプロテクション制御システムの動作を表わしたものである。Ｂ局４０１ＢのＡＰＳバイト処理部２１９Ｂは、「０１１（双方向遷移）」コードの挿入（上書き）されたＡＰＳバイト２５２の送信中にＡ局４０１Ａから「１０１（双方向）」コードの挿入（上書き）されたＡＰＳバイト２５１を受信する。すると、ＡＰＳバイト処理部２１９Ｂは、プロテクション動作制御部２１８Ｂに対して双方向ラインプロテクションで動作するよう指示する信号を出力する。
【０１０３】
ここで、プロテクション動作制御部２１８Ｂはこの時点で既に「双方向」のモードで動作している。したがって、プロテクション動作制御部２１８ＢはＡＰＳバイト処理部２１９Ｂに対して切替完了通知を出力する。この切替完了通知を受け取ったＡＰＳバイト処理部２１９Ｂは、ＡＰＳバイト２５２に「１０１（双方向）」コードを挿入（上書き）して、ＡＰＳバイト送信回路２３１ＢからＡ局２０１Ａに送信する。これは、図４の区間３０４に対応する。
【０１０４】
この時点で、１＋１双方向ラインプロテクションへの自動切替が完了となる。これ以後は、障害が発生しない限り、図４の区間３０５あるいは区間３０１で示すように、Ａ局２０１ＡとＢ局２０１Ｂはそれぞれ自局が「双方向」のモードに設定されていることを示すＡＰＳバイト２５１あるいはＡＰＳバイト２５２を定期的に送出することになる。
【０１０５】
なお、第２の実施例では図１５に示したようにＡ局４０１Ａ等の各局の構成を図１よりも簡略化したが、もちろん、図１と同一の構成となっていてもよい。この場合には、第１の実施例で説明したように各種の障害に対応できるようになる。
【０１０６】
また、第１および第２の実施例では１＋１双方向ラインプロテクションと１＋１片方向ラインプロテクションについて説明したが、現用系のラインが“Ｎ”（Ｎは１以上の任意の整数）に対して予備系のラインが“１”の１＋Ｎ双方向ラインプロテクションと１＋Ｎ片方向ラインプロテクションについても本発明を同様に適用することができる。
【図面の簡単な説明】
【０１０７】
【図１】本発明の第１の実施例におけるラインプロテクション制御システムを構成するＡ局のブロック図である。
【図２】第１の実施例のラインプロテクション制御システムのシステム構成図である。
【図３】第１の実施例のＡＰＳバイト処理部の処理動作の論理を示す説明図である。
【図４】第１の実施例でＡ局とＢ局の送出するＡＰＳバイトの変化の様子とプロテクションモードの関係を表わした説明図である。
【図５】第１の実施例でＢ局のＡＰＳバイト処理部に障害が発生した場合を示した説明図である。
【図６】第１の実施例で図４に示す区間３０２の後半の状態を表わした説明図である。
【図７】第１の実施例でＢ局に生じた障害が復旧した際のラインプロテクション制御システムの動作を示す説明図である。
【図８】第１の実施例でＢ局のモードが切り替えられた後、Ａ局からこれと違うモードを表わしたＡＰＳバイトが到来したときの動作を示す説明図である。
【図９】第１の実施例でＡ局に「０１１（双方向遷移）」コードが与えられたときの動作を示す説明図である。
【図１０】第１の実施例でＢ局のプロテクション動作制御部に障害が発生した状況を示した説明図である。
【図１１】第１の実施例で「０１０（片方向遷移）」のＡＰＳバイトを受信したＡ局の動作を表わした説明図である。
【図１２】第１の実施例でＢ局のプロテクション動作制御部の障害が復旧した際の動作を表わした説明図である。
【図１３】第１の実施例でＡ局に「０１１（双方向遷移）」コードが与えられたときの動作を表わした説明図である。
【図１４】第１の実施例でＢ局に「１０１（双方向）」コードが与えられたときの動作を表わした説明図である。
【図１５】本発明の第２の実施例におけるラインプロテクション制御システムを構成する局のブロック図である。
【図１６】第２の実施例におけるラインプロテクション制御システムのシステム構成図である。
【図１７】第２の実施例でＢ局に「１００（片方向）」コードが与えられたときの動作を示す説明図である。
【図１８】第２の実施例でＡ局に「０１１（双方向遷移）」コードが与えられたときの動作を示す説明図である。
【図１９】第２の実施例でＢ局が「１０１（双方向）」コードを受信した場合の動作を示す説明図である。
【図２０】従来提案された１＋１双方向ラインプロテクション制御システムのシステム構成図である。
【図２１】従来提案された１＋１双方向ラインプロテクションシステムで障害が発生した際の問題を説明するためのシステム構成図である。
【符号の説明】
【０１０８】
２００、４００  ラインプロテクション制御システム
２０１Ａ、４０１Ａ  Ａ局
２０１Ｂ、４０１Ｂ  Ｂ局
２１１Ａ、２１１Ｂ  ワーク側インタフェース回路
２１２、２１３  ワーク側主信号ライン
２１４Ａ、２１４Ｂ  プロテクト側インタフェース回路
２１５、２１６  プロテクト側主信号ライン
２１７Ａ、２１７Ｂ  スイッチ部
２１８Ａ、２１８Ｂ  プロテクション動作制御部
２１９Ａ、２１９Ｂ  ＡＰＳバイト処理部
２２１Ａ、２２１Ｂ  ＡＰＳバイト処理監視部
２２２Ａ、２２２Ｂ  固定ＡＰＳバイト挿入回路
２２３Ａ、２２３Ｂ  固定プロテクション制御指示回路
２２４Ａ、２２４Ｂ  セレクタ
２４２Ａ、２４２Ｂ  受信信号切替部
２４５Ａ、２４５Ｂ  テーブル
【図１】
2008004993.tif 000003
【図２】
2008004993.tif 000004
【図３】
2008004993.tif 000005
【図４】
2008004993.tif 000006
【図５】
2008004993.tif 000007
【図６】
2008004993.tif 000008
【図７】
2008004993.tif 000009
【図８】
2008004993.tif 000010
【図９】
2008004993.tif 000011
【図１０】
2008004993.tif 000012
【図１１】
2008004993.tif 000013
【図１２】
2008004993.tif 000014
【図１３】
2008004993.tif 000015
【図１４】
2008004993.tif 000016
【図１５】
2008004993.tif 000017
【図１６】
2008004993.tif 000018
【図１７】
2008004993.tif 000019
【図１８】
2008004993.tif 000020
【図１９】
2008004993.tif 000021
【図２０】
2008004993.tif 000022
【図２１】
2008004993.tif 000023